(57)【要約】  無線通信システムは、移動局および基地局を含む。移動局は、選択部および送信部を有する。選択部は、予め用意された複数の信号系列の中から１以上の任意の信号系列を選択するとともに、所定の期間に含まれる複数の区間の中から１以上の任意の区間を選択する。送信部は、選択部により選択された区間で、選択部により選択された信号系列を送信する。基地局は、受信部および識別部を有する。受信部は、移動局から送信された信号を受信する。識別部は、受信部により受信された信号の各区間における相関値に基づいて移動局を識別する。
2011007414.tif 000002
【特許請求の範囲】
【請求項１】
予め用意された複数の信号系列の中から１以上の任意の信号系列を選択するとともに、所定の期間に含まれる複数の区間の中から１以上の任意の区間を選択する選択部、および該選択部により選択された前記区間に対応する前記信号系列を送信する送信部、を有する移動局と、
前記移動局から送信された信号を受信する受信部、および該受信部により受信された前記信号の前記各区間における相関値に基づいて前記移動局を識別する識別部、を有する基地局と、
を備えることを特徴とする無線通信システム。
【請求項２】
前記所定の期間は、前記信号系列の長さであり、
前記区間は、前記信号系列を複数に分割した長さであり、
前記送信部は、前記信号系列の、前記選択部により選択された前記区間に対応する部分を送信し、
前記識別部は、前記所定の期間における相関値と前記各区間における相関値とに基づいて前記移動局を識別することを特徴とする請求項１に記載の無線通信システム。
【請求項３】
前記所定の期間は、前記信号系列の長さの２以上の整数倍の長さであり、
前記区間は、前記信号系列の長さであり、
前記送信部は、前記選択部により選択された前記区間で前記信号系列の全体を送信し、
前記識別部は、前記所定の期間における相関値と前記各区間における相関値とに基づいて前記移動局を識別することを特徴とする請求項１に記載の無線通信システム。
【請求項４】
前記送信部は、前記選択部により選択された前記区間の数に基づいて当該区間の送信電力を制御することを特徴とする請求項１に記載の無線通信システム。
【請求項５】
前記送信部は、前記選択部により選択された前記区間の送信電力を、前記所定の期間における送信電力の和が一定になるように制御することを特徴とする請求項４に記載の無線通信システム。
【請求項６】
前記選択部は、前記基地局から報知された信号に基づいて前記信号系列と前記区間を選択することを特徴とする請求項１に記載の無線通信システム。
【請求項７】
前記選択部は、２以上の信号系列を選択し、
前記送信部は、前記選択部により選択された２以上の前記区間で異なる信号系列を送信することを特徴とする請求項１に記載の無線通信システム。
【請求項８】
移動局から送信された、予め用意された複数の信号系列の中から移動局により選択された信号系列を含む信号を受信する受信部と、
該受信部により受信された前記信号の、所定の期間に含まれる複数の区間における相関値に基づいて前記移動局を識別する識別部と、
を備えることを特徴とする基地局。
【請求項９】
前記所定の期間は、前記信号系列の長さであり、
前記区間は、前記信号系列を複数に分割した長さであり、
前記識別部は、前記所定の期間における前記信号系列全体の相関値と、前記信号系列の、前記各区間に対応する部分の相関値とに基づいて前記移動局を識別することを特徴とする請求項８に記載の基地局。
【請求項１０】
前記所定の期間は、前記信号系列の長さの２以上の整数倍の長さであり、
前記区間は、前記信号系列の長さであり、
前記識別部は、前記所定の期間における相関値と前記各区間における前記信号系列全体の相関値とに基づいて前記移動局を識別することを特徴とする請求項８に記載の基地局。
【請求項１１】
予め用意された複数の信号系列の中から１以上の任意の信号系列を選択するとともに、所定の期間に含まれる複数の区間の中から１以上の任意の区間を選択する選択部と、
該選択部により選択された前記区間に対応する前記信号系列を送信する送信部と、
を備えることを特徴とする移動局。
【請求項１２】
前記所定の期間は、前記信号系列の長さであり、
前記区間は、前記信号系列を複数に分割した長さであり、
前記送信部は、前記信号系列の、前記選択部により選択された前記区間に対応する部分を送信することを特徴とする請求項１１に記載の移動局。
【請求項１３】
前記所定の期間は、前記信号系列の長さの２以上の整数倍の長さであり、
前記区間は、前記信号系列の長さであり、
前記送信部は、前記選択部により選択された前記区間で前記信号系列の全体を送信することを特徴とする請求項１１に記載の移動局。
【請求項１４】
前記送信部は、前記選択部により選択された前記区間の数に基づいて当該区間の送信電力を制御することを特徴とする請求項１１に記載の移動局。
【請求項１５】
前記送信部は、前記選択部により選択された前記区間の送信電力を、前記所定の期間における送信電力の和が一定になるように制御することを特徴とする請求項１４に記載の移動局。
【請求項１６】
前記選択部は、基地局から報知された信号に基づいて前記信号系列と前記区間を選択することを特徴とする請求項１１に記載の移動局。
【請求項１７】
移動局にて、予め用意された複数の信号系列の中から１以上の任意の信号系列を選択するとともに、所定の期間に含まれる複数の区間の中から１以上の任意の区間を選択する選択ステップと、
前記移動局にて、該選択ステップにおいて選択された前記区間で前記信号系列を送信する送信ステップと、
基地局にて、前記移動局から送信された信号を受信する受信ステップと、
前記基地局にて、該受信ステップにおいて受信された前記信号の前記各区間における相関値に基づいて前記移動局を識別する識別ステップと、
を含むことを特徴とする無線通信方法。
【請求項１８】
前記所定の期間は、前記信号系列の長さであり、
前記区間は、前記信号系列を複数に分割した長さであり、
前記移動局は、前記送信ステップにおいて、前記信号系列の、前記選択ステップにおいて選択された前記区間に対応する部分を送信し、
前記基地局は、前記識別ステップにおいて、前記所定の期間における相関値と前記各区間における相関値とに基づいて前記移動局を識別することを特徴とする請求項１７に記載の無線通信方法。
【請求項１９】
前記所定の期間は、前記信号系列の長さの２以上の整数倍の長さであり、
前記区間は、前記信号系列の長さであり、
前記移動局は、前記送信ステップにおいて、前記選択ステップにおいて選択された前記区間で前記信号系列の全体を送信し、
前記基地局は、前記識別ステップにおいて、前記所定の期間における相関値と前記各区間における相関値とに基づいて前記移動局を識別することを特徴とする請求項１７に記載の無線通信方法。
【請求項２０】
前記移動局は、前記選択ステップにおいて、２以上の信号系列を選択し、
前記送信ステップにおいて、前記選択ステップで選択された２以上の前記区間で異なる信号系列を送信することを特徴とする請求項１６に記載の無線通信方法。
【発明の詳細な説明】
【技術分野】
【０００１】
この発明は、無線通信システム、基地局、移動局および無線通信方法に関する。
【背景技術】
【０００２】
従来、通信における最初のネゴシエーション部分で、一方の機器が必要とするプリアンブル長を相手側の機器に伝え、必要最小限のプリアンブル長での通信を実現するようにした基地局装置および無線通信システムが知られている。例えば、リンクチャネル確立要求をしてきた無線端末装置の対応可能なプリアンブル長を判別し、情報チャネルにおけるプリアンブル長が選択される。プリアンブル長が長い場合には、基地局装置から無線端末装置に対して長いプリアンブル長で通信を行なう旨が応答され、ネゴシエーションが終了する。一方、プリアンブル長が短い場合には、基地局装置から無線端末装置に対して短いプリアンブル長で通信を行なう旨が応答され、ネゴシエーションが終了する（例えば、特許文献１参照。）。
【先行技術文献】
【特許文献】
【０００３】
【特許文献１】特開２００４−２９７３３８号公報
【発明の概要】
【発明が解決しようとする課題】
【０００４】
従来の技術では、移動局と基地局との間のリンクが確立した後に、変調方式に応じて情報チャネルにおけるプリアンブル長が選択される。一方、移動局と基地局との間のリンクが確立する前、例えば移動局が基地局に最初に接続するときや、一旦移動局と基地局との間の接続が切れた後に移動局が基地局に再接続するときや、移動局が異なる基地局間でハンドオーバするときには、移動局は、予め用意された複数の識別情報の中から任意の一つを選択して基地局へ送信する。しかし、識別情報の数には限りがあるため、異なる移動局が同じ識別情報を用いて同時に基地局とネゴシエーションを行うおそれがある。異なる移動局が同じ識別情報を用いると、基地局で異なる移動局を別々に識別することができないという問題点がある。【０００５】
開示の無線通信システム、基地局、移動局および無線通信方法は、基地局で異なる移動局を別々に識別することができるようにすることを目的とする。
【課題を解決するための手段】
【０００６】
無線通信システムは、移動局および基地局を含む。移動局は、選択部および送信部を有する。選択部は、予め用意された複数の信号系列の中から１以上の任意の信号系列を選択するとともに、所定の期間をＮ個(Ｎは２以上の整数)の区間に分割し、そのＮ個の区間から任意のＸ個(Ｘは正の整数、Ｘ≦Ｎ)を選択する。送信部は、選択部により選択された区間に対応する信号系列を送信する。基地局は、受信部および識別部を有する。受信部は、移動局から送信された信号を受信する。識別部は、受信部により受信された信号系列の各区間における相関値に基づいて移動局を識別する。
【発明の効果】
【０００７】
開示の無線通信システム、基地局、移動局および無線通信方法によれば、基地局で異なる移動局を別々に識別することができるという効果を奏する。
【図面の簡単な説明】
【０００８】
【図１】実施例１にかかる無線通信システムを示すブロック図である。
【図２】実施例１にかかる無線通信方法を示すフローチャートである。
【図３】実施例２にかかる移動局を示すブロック図である。
【図４】実施例２における送信パターンの一例を示す模式図である。
【図５】実施例２にかかる基地局を示すブロック図である。
【図６】実施例２にかかる基地局の識別部を示すブロック図である。
【図７】実施例２における着信タイミングの一例を示す模式図である。
【図８】実施例２における相関値の検出結果の一例を示すグラフである。
【図９】実施例２における発呼要求応答のフレームフォーマットの一例を示す模式図である。
【図１０】実施例２における発呼要求応答の通知方法の一例を示すシーケンス図である。
【図１１】実施例２における発呼要求応答のフレームフォーマットの他の例を示す模式図である。
【図１２】実施例３にかかる基地局の識別部を示すブロック図である。
【図１３】実施例４における着信タイミングの一例を示す模式図である。
【図１４】実施例４における相関値の検出結果の一例を示すグラフである。
【図１５】実施例４における相関値の検出結果の一例を示すグラフである。
【図１６】実施例４における相関値の検出結果の一例を示すグラフである。
【図１７】実施例４における相関値の検出結果の一例を示す図表である。
【図１８】実施例４にかかる基地局の識別部の一例を示すブロック図である。
【図１９】実施例４にかかる基地局の識別部の別の例を示すブロック図である。
【発明を実施するための形態】
【０００９】
以下に、この発明にかかる無線通信システム、基地局、移動局および無線通信方法の実施例を図面に基づいて詳細に説明する。なお、この実施例によりこの発明が限定されるものではない。
【００１０】
以下の各実施例にかかる無線通信システムにおいては、例えば移動局が基地局に最初に接続するときや、一旦移動局と基地局との間の接続が切れた後に移動局が基地局に再接続するときや、移動局が異なる基地局間でハンドオーバするときなどに、ネゴシエーションが行われる。ネゴシエーションの結果、移動局と基地局との間でリンクが確立する。ネゴシエーションの際に移動局が基地局へ送信する信号系列が複数用意されている。また、実施例にかかる無線通信システムにおいては、所定の期間に複数の区間が含まれている。例えば、所定の期間は、複数の区間に分割されている。移動局および基地局は、ネゴシエーションの際に移動局が基地局へ送信する複数の信号系列に関する情報、並びに所定の期間および複数の区間に関する情報を共有している。
【００１１】
（実施例１）
図１は、実施例１にかかる無線通信システムを示すブロック図である。図１に示すように、無線通信システムは、移動局１および基地局２を含む。移動局１は、選択部３および送信部４を有する。選択部３は、予め用意された複数の信号系列の中から任意の信号系列を選択する。選択部３は、所定の期間に含まれる複数の区間の中から１以上の任意の区間を選択する。送信部４は、選択部３により選択された信号系列を、選択部３により選択された区間で送信する。基地局２は、受信部５および識別部６を有する。受信部５は、移動局１から送信された信号を受信する。例えば、受信部５は、移動局１から送信された信号系列を受信する。識別部６は、受信部５により受信された信号系列の各区間における相関値に基づいて、該信号系列の送信元である移動局１を識別する。なお、移動局１は、複数存在していてもよい。基地局２は、複数存在していてもよい。
【００１２】
図２は、実施例１にかかる無線通信方法を示すフローチャートである。図２に示すように、ネゴシエーションにおける移動局の識別処理が開始されると、移動局は、予め用意された複数の信号系列の中から任意の信号系列を選択する。また、移動局は、所定の期間に含まれる複数の区間の中から１以上の任意の区間を選択する（ステップＳ１）。次いで、移動局は、ステップＳ１で選択した区間で、ステップＳ１で選択した信号系列をステップＳ１で選択した区間に対応した信号系列で送信する（ステップＳ２）。次いで、基地局は、移動局から送信された信号を受信する（ステップＳ３）。基地局が受信した信号には、移動局が選択した信号系列が含まれている。次いで、基地局は、ステップＳ３で受信した信号の信号系列全体と各区間における相関値に基づいて、信号系列の送信元である移動局を識別する（ステップＳ４）。このようにして、ネゴシエーションにおける移動局の識別処理が終了する。これ以降、基地局は、移動局へ応答を返し、基地局と移動局との間で予め決められた手順でリンクが確立する。
【００１３】
実施例１によれば、移動局と基地局との間のリンクを確立する際のネゴシエーションにおいて、基地局は、移動局から送信されてくる信号系列と、その信号系列が所定の期間のうちのいずれの区間で送信されてきたかというパターンによって移動局を識別することができる。従って、異なる移動局が同じ信号系列を選択して同時に基地局へ送信しても、移動局によって信号系列を送信するパターンが異なっていれば、基地局は別々の移動局からリンク確立の要求があったことを認識することができる。それに対して、信号系列を送信するパターンが一つしかない場合、すなわち基地局が信号系列のみで移動局を識別する構成では、次のような不具合が生じる。異なる移動局が同じ信号系列を選択して同時に基地局へ送信すると、各移動局と基地局との距離や電波環境によって、基地局での受信タイミングにずれ（遅れ）が生じる。基地局は、異なるタイミングで受信しても、受信した信号系列が同じであるため、同一の移動局からのマルチパスの受信であると判断してしまう。そして、基地局は、同一と判断した移動局に対して応答を返す。同じ信号系列を選択した複数の移動局は、基地局からの応答を受信すると、基地局へ移動局の固有情報を送信するが、基地局では、異なる移動局からの固有情報であるため、それらが干渉となり復調できないため、正常にリンクを確立することができなくなってしまう。実施例１によれば、このような不具合が生じるのを抑制することができるので、基地局で異なる移動局を別々に識別することができる。
【００１４】
（実施例２）
実施例１の無線通信システムは、例えばＬｏｎｇ  Ｔｅｒｍ  Ｅｖｏｌｕｔｉｏｎ（ＬＴＥ、ロングタームエボリューション）のシステム、またはＬＴＥを発展させたＬＴＥ−Ａｄｖａｎｃｅｄ（ＬＴＥアドバンスト）のシステムなど、予め用意された複数の信号系列の中から任意の信号系列を選択して移動局と基地局との間のリンクを確立するシステムに適用することができる。一例として、実施例２ではＬＴＥの場合について説明する。
【００１５】
図３は、実施例２にかかる移動局を示すブロック図である。図３に示すように、移動局１１は、ＲＦ部１２、復調部１３、第１検出部１４、選択部１５、第２検出部１６、制御部１７、生成部１８、変調部１９およびアンテナ２０を備えている。第２検出部１６は、基地局から送信される報知信号の受信レベルを検出する。選択部１５は、第２検出部１６の検出結果に基づいて、発呼要求信号の信号系列番号を示すプリアンブル番号や発呼要求信号を送信する区間などの無線リソースを選択する。移動局１１と基地局との間で、予めプリアンブル番号ごとに信号系列が定められている。制御部１７は、選択部１５により選択された無線リソースに基づいて、生成部１８での信号の生成を制御する。また、制御部１７は、基地局からの発呼要求応答信号からＴｉｍｉｎｇ  Ａｄｖａｎｃｅ（ＴＡ、タイミングアドバンス）情報などの制御情報を検出する。タイミングアドバンス情報は、基地局の基準タイミングからのずれ量の情報である。第１検出部１４は、発呼要求応答信号からタイミングアドバンス情報を算出する。生成部１８は、制御部１７の出力信号に基づいて、発呼要求信号やコネクション要求信号を生成する。変調部１９は、生成部１８で生成された発呼要求信号やコネクション要求信号などの送信信号を変調する。また、変調部１９は、ユーザーデータやパイロット信号を変調する。ＲＦ部１２は、変調部１９から出力されたベースバンド信号を無線信号に変換する。ＲＦ部１２から出力された無線信号は、アンテナ２０から送信される。また、ＲＦ部１２は、アンテナ２０で受信した無線信号をベースバンド信号に変換する。復調部１３は、ＲＦ部１２から出力されたベースバンド信号を復調し、各種制御情報やユーザーデータを出力する。制御部１７、生成部１８、変調部１９、ＲＦ部１２およびアンテナ２０は、実施例１の送信部として動作する。
【００１６】
図４は、実施例２における送信パターンの一例を示す模式図である。図４に示す送信パターンの一覧２１では、所定の期間が４区間に分割されており、信号系列を送信する区間が網掛けで示されている。図４に示すように、例えば０から１４までの１５のパターンがある。例えば、各パターンは次の通りである。（１）パターン０では、区間０、区間１、区間２および区間３の全ての区間で信号系列を送信する。（２）パターン１、パターン２、パターン３およびパターン４では、区間０、区間１、区間２および区間３のうちの３区間で信号系列を送信する。信号系列を送信する３区間の組み合わせは、互いに異なる。（３）パターン５、パターン６、パターン７、パターン８、パターン９およびパターン１０では、区間０、区間１、区間２および区間３のうちの２区間で信号系列を送信する。信号系列を送信する２区間の組み合わせは、互いに異なる。（４）パターン１１、パターン１２、パターン１３およびパターン１４では、区間０、区間１、区間２および区間３のうちの互いに異なる１区間で信号系列を送信する。
【００１７】
上記（１）〜（４）の各パターンにおいて、所定の期間における送信電力の総和は、同じであってもよい。例えば、上記（１）のパターンにおける各区間の送信電力がＡである場合、（２）の各パターン、（３）の各パターンおよび（４）の各パターンにおける各区間の送信電力は、それぞれ４Ａ／３、２Ａおよび４Ａであってもよい。例えば、各区間で送信される信号の振幅を調整することによって、各区間の送信電力を調整することができる。このように送信電力を制御することによって、いずれのパターンでも、所定の期間における送信電力の総和は、４Ａとなる。各パターンにおける所定の期間における送信電力の総和が一定であると、後述するように、基地局において相関値を求めて移動局を識別する際に、容易に移動局を識別することができるという利点がある。なお、所定の期間の分割数は、２でもよいし、３でもよいし、５以上であってもよい。所定の期間をｎ分割する場合、パターンの数の上限値は、次式で表される。
パターン数＝nＣn＋nＣn-1＋・・・＋nＣ1
【００１８】
ここで、所定の期間は、信号系列全体の長さであってもよい。例えば、信号系列のシンボル数が８４０シンボルである場合、所定の期間は、０から８３９までの８４０シンボル分の長さであってもよい。区間０、区間１、区間２および区間３は、それぞれ例えば０から２０９までの２１０シンボル分の長さ、２１０から４１９までの２１０シンボル分の長さ、４２０から６２９までの２１０シンボル分の長さ、および６３０から８３９までの２１０シンボル分の長さであってもよい。区間０、区間１、区間２および区間３が信号系列の送信区間として選択されているときには、それぞれ選択された信号系列の例えば０シンボル目から２０９シンボル目まで、２１０シンボル目から４１９シンボル目まで、４２０シンボル目から６２９シンボル目まで、および６３０シンボル目から８３９シンボル目までが送信されてもよい。
【００１９】
移動局１１の動作について説明する。移動局１１は、基地局から送信された報知信号の受信レベルに基づいて、発呼要求信号の信号系列および発呼要求信号の送信パターンを選択する。報知信号の受信レベルを、所定の期間の分割数と同じ数の段階、例えば４段階に分ける場合、受信レベルが最も低い段階のときに、移動局１１は、前記（１）のパターン（パターン０）を選択してもよい。移動局１１は、受信レベルが一段高くなると、前記（２）の各パターンを選択し、さらに受信レベルが一段高くなると、前記（３）の各パターンを選択し、受信レベルが最も高い段階になると、前記（４）の各パターンを選択するようにしてもよい。このようにすると、受信レベルが高い状況において、移動局が発呼要求信号を長時間送信し続けることが原因で干渉が生じるのを抑制することができる。次いで、移動局１１は、選択した発呼要求信号の信号系列を、選択した送信パターンで送信する。発呼要求信号は、例えばＲａｎｄｏｍ  Ａｃｃｅｓｓ  Ｃｈａｎｎｅｌ（ＲＡＣＨ、ランダムアクセスチャネル）で送信される。
【００２０】
なお、移動局１１は、報知信号の受信レベルの代わりに、移動局と基地局との間の距離の情報に基づいて、発呼要求信号の信号系列および発呼要求信号の送信パターンを選択してもよい。移動局と基地局との間の距離の情報は、例えば移動局の位置情報と基地局の位置情報とから得られる。一般に、基地局の位置情報は、既知である。移動局は、例えば自局が備えるＧｌｏｂａｌ  Ｐｏｓｉｔｉｏｎｉｎｇ  Ｓｙｓｔｅｍ（ＧＰＳ、全地球測位システム）の機能により自局の位置情報を取得することができる。あるいは、移動局は、複数の基地局から送信された信号の受信レベルに基づいて、自局の位置情報を取得することができる。
【００２１】
図５は、実施例２にかかる基地局を示すブロック図である。図５に示すように、基地局３１は、ＲＦ部３２、復調部３３、識別部３４、第１制御部３５、生成部３６、変調部３７およびアンテナ３８を備えている。ＲＦ部３２は、アンテナ３８で受信した無線信号をベースバンド信号に変換する。また、ＲＦ部３２は、変調部３７から出力されたベースバンド信号を無線信号に変換する。ＲＦ部３２から出力された無線信号は、アンテナ３８から送信される。復調部３３は、ＲＦ部３２から出力されたベースバンド信号を復調し、各種制御情報やユーザーデータを出力する。識別部３４は、復調部３３から出力された制御情報に基づいて、発呼要求信号の信号系列全体の相関値と区間ごとの相関値とを算出し、パワー検出を行うことによって、発呼要求信号のプリアンブル番号と送信パターンを特定する。また、識別部３４は、発呼要求信号の受信タイミングと基準タイミングとに基づいて、タイミングアドバンスを求める。識別部３４は、例えば受信した発呼要求信号の振幅を検出することにより、パワー検出を行う。識別部３４の詳細な構成については、後述する。基地局３１は、発呼要求信号のプリアンブル番号と送信パターンとに基づいて、移動局を識別することができる。第１制御部３５は、発呼要求信号のプリアンブル番号、送信パターンおよびタイミングアドバンスの各情報に基づいて、発呼要求応答信号やコネクション要求応答信号などの、リンクの確立に必要な信号の生成を制御する。生成部３６は、第１制御部３５の出力信号に基づいて、発呼要求応答信号やコネクション要求応答信号を生成する。変調部３７は、生成部３６で生成された発呼要求応答信号やコネクション要求応答信号などの送信信号を変調する。また、変調部３７は、ユーザーデータやパイロット信号や報知信号を変調する。アンテナ３８、ＲＦ部３２および復調部３３は、実施例１の受信部として動作する。
【００２２】
図６は、実施例２にかかる基地局の識別部を示すブロック図である。図６に示すように、識別部３４は、第１メモリ部４１、算出部４２、第２メモリ部４７、検出部４８および第２制御部４９を備えている。算出部４２、第２メモリ部４７および検出部４８は、発呼要求信号のプリアンブル番号ごとに設けられている。例えばＬＴＥシステムでは、プリアンブル番号は、０から６３まで設けられている。すなわち、発呼要求信号の信号系列は、例えば６４種類ある。第１メモリ部４１は、受信した発呼要求信号を記憶する。各算出部４２は、受信した発呼要求信号の信号系列と予めプリアンブル番号ｘｘ（例えば、ｘｘ＝０、１、２、・・・、６３）として設定されている信号系列（レプリカ）との相関値を算出する。第２メモリ部４７は、算出部４２で算出された相関結果を記憶する。検出部４８は、相関結果に基づいて発呼要求信号の送信パターン、タイミングアドバンスおよびパワーの検出を行う。検出部４８の検出結果は、図５に示す基地局３１の第１制御部３５に渡される。第２制御部４９は、第１メモリ部４１、乗算部４４、加算部４６、第２メモリ部４７および検出部４８の各動作を制御して、発呼要求信号の所定の期間（信号系列全体）の相関値や各区間の相関値を求める。
【００２３】
算出部４２は、ＤＦＴ（Ｄｉｓｃｒｅｔｅ  Ｆｏｕｒｉｅｒ  Ｔｒａｎｓｆｏｒｍ、離散フーリエ変換）部４３、乗算部４４、ＩＦＦＴ（Ｉｎｖｅｒｓｅ  Ｆａｓｔ  Ｆｏｕｒｉｅｒ  Ｔｒａｎｓｆｏｒｍ、逆高速フーリエ変換）部４５および加算部４６を備えている。ＤＦＴ部４３は、受信した信号を周波数軸上に変換する。乗算部４４は、プリアンブル番号ｘｘのレプリカを生成し、該レプリカと受信した信号との乗算を行う。ＩＦＦＴ部４５は、周波数軸上の信号を時間軸上の信号に変換する。加算部４６は、ＩＦＦＴ部４５の出力信号の電力を加算し、相関値を算出する。このように、周波数軸上で相関値を算出する構成では、第１メモリ部４１に発呼要求信号を記憶することによって、発呼要求信号の信号系列全体の相関値と区間ごとの相関値とを求めることができる。時間軸上で相関値を算出する構成としてもよい。時間軸上で相関値を算出する構成では、第１メモリ部４１はなくてもよい。
【００２４】
図７は、実施例２における着信タイミングの一例を示す模式図である。図７において、例えば移動局Ａ、移動局Ｂおよび移動局Ｃは、同じ信号系列の発呼要求信号を送信しているとする。例えば、移動局Ａの送信電力（振幅）および送信パターンは、それぞれＡおよび前記パターン０であるとする。移動局Ｂについては、送信電力（振幅）が２Ａであり、送信パターンが前記パターン５であるとする。移動局Ｃについては、送信電力（振幅）が２Ａであり、送信パターンが前記パターン６であるとする。図７に示すように、基地局３１において、移動局Ａからの発呼要求信号５１が基準タイミングから１５サンプルずれて着信し、移動局Ｂからの発呼要求信号５２が基準タイミングから５サンプルずれて着信し、移動局Ｃからの発呼要求信号５３が基準タイミングから１０サンプルずれて着信したとする。
【００２５】
図８は、実施例２における相関値の検出結果の一例を示すグラフである。図７に示す例の場合、図８に示すように、所定の期間（信号系列全体）の相関値を求めると、図８において「全体」として示すグラフのように、基準タイミングから５サンプル、１０サンプルおよび１５サンプルずれたタイミングに相関値のピークが出現する。ここでは、信号系列を例えば０から８３９シンボルまでとしているので、基準タイミングからのずれが５サンプル目の第１のピーク５６、基準タイミングからのずれが１０サンプル目の第２のピーク５７、および基準タイミングからのずれが１５サンプル目の第３のピーク５８の相関値は、いずれも８３９に近い値となっている。このように、基地局３１は、識別部３４において所定の期間（信号系列全体）の相関値を求めることによって、８３９に近い相関値を有するピークがいくつ存在し、各ピークが基準タイミングからどのくらいずれているか、ということを知ることができる。
【００２６】
また、識別部３４において「区間０」、「区間１」、「区間２」および「区間３」というように各区間の相関値を求めることによって、次のような相関値の結果が得られる。例えば基準タイミングから５サンプルずれたタイミングにおいて、「区間０」の相関値が約４１９であり、「区間１」の相関値が約４１９であり、両相関値を足すと第１のピーク５６の相関値とほぼ同じになる。一方、「区間２」および「区間３」の相関値は、いずれもほぼ０である。従って、第１のピーク５６は、「区間０」および「区間１」において発呼要求信号を送信している移動局（図７に示す例では移動局Ｂ）に起因するピークであることがわかる。同様に、第２のピーク５７は、「区間０」および「区間２」において発呼要求信号を送信している移動局（図７に示す例では移動局Ｃ）に起因するピークであることがわかる。また、例えば基準タイミングから１５サンプルずれたタイミングにおいて、「区間０」、「区間１」、「区間２」および「区間３」の各相関値が約２０９であり、それらの合計が第３のピーク５８の相関値とほぼ同じになる。従って、第３のピーク５８は、「区間０」、「区間１」、「区間２」および「区間３」において発呼要求信号を送信している移動局（図７に示す例では移動局Ａ）に起因するピークであることがわかる。
【００２７】
このように、基地局３１は、所定の期間の相関値と各区間の相関値とに基づいて、同じ信号系列の発呼要求信号を送信している移動局の数（この例では３）を知ることができる。つまり、基地局３１は、同じ信号系列の発呼要求信号を送信している移動局を識別することができる。識別部３４の第２制御部４９は、所定の期間（信号系列全体）の相関値を求めてから、各区間の相関値を求めるように、第１メモリ部４１、乗算部４４、加算部４６、第２メモリ部４７および検出部４８の各動作を制御してもよい。第２制御部４９は、所定の期間（信号系列全体）の相関値にピークが存在しない場合、各区間の相関値を求める処理を省略してもよい。
【００２８】
基地局３１の動作について説明する。基地局３１が発呼要求信号を受信すると、第２制御部４９は、第１メモリ部４１、算出部４２および第２メモリ部４７に所定の期間（信号系列全体）の相関値を算出することを通知する。第１メモリ部４１は、受信信号を記憶するとともに、発呼要求信号の全体を算出部４２に出力する。第１メモリ部４１に記憶された受信データは、区間ごとの相関値を算出する際に使用される。算出部４２は、発呼要求信号の信号系列全体について相関値を算出し、算出した相関結果を第２メモリ部４７に出力する。第２メモリ部４７は、発呼要求信号の信号系列全体の相関結果を記憶するとともに、検出部４８に出力する。検出部４８は、信号系列全体の相関結果に基づいて、閾値以上のピークが存在するか否かを判断する。検出部４８は、閾値以上のピークが存在しない場合、第２制御部４９にピークが存在しないことを通知する。第２制御部４９は、ピークが存在しないという通知を受け取ると、ピークの存在しない発呼要求信号の信号系列について区間ごとの相関値を算出しないように制御する。検出部４８は、閾値以上のピークが存在する場合、第２制御部４９にピークが存在することを通知する。第２制御部４９は、ピークが存在するという通知を受け取ると、ピークの存在する発呼要求信号の信号系列について区間ごとの相関値を算出するように、第１メモリ部４１、算出部４２および第２メモリ部４７を制御する。相関値を算出する区間の順序は、任意である。
【００２９】
区間ごとの相関値を算出する際には、第１メモリ部４１は、第２制御部４９より通知された区間の発呼要求信号を算出部４２に出力する。算出部４２は、第２制御部４９より通知された区間の発呼要求信号について相関値を算出し、算出した相関結果を第２メモリ部４７に出力する。第２制御部４９は、全ての区間について同様の処理が終了すると、全ての相関値の算出処理が完了したことを検出部４８に通知する。検出部４８は、所定の期間（信号系列全体）の相関値および区間ごとの相関値の結果に基づいて、同じ信号系列の発呼要求信号を送信している移動局の数、送信パターン、基準タイミングからのずれおよびピーク検出結果を図５に示す基地局３１の第１制御部３５に出力する。なお、受信した発呼要求信号を第１メモリ部４１に一旦保存してから、所定の期間（信号系列全体）の相関値と区間ごとの相関値を算出する処理を開始するようにしてもよい。
【００３０】
基地局３１は、発呼要求信号の信号系列および送信パターンに基づいて移動局を識別すると、移動局の送信信号が基準タイミングで基地局に着信するように移動局の送信タイミングを制御する信号（ＴＡ）を含む発呼要求応答と、上り通信許可信号を各移動局へ送信する。各移動局への発呼要求応答の通知方法の一例について説明する。
【００３１】
図９は、実施例２における発呼要求応答のフレームフォーマットの一例を示す模式図である。図１０は、実施例２における発呼要求応答の通知方法の一例を示すシーケンス図である。図９に示すように、発呼要求応答６１は、例えば発呼要求信号のプリアンブル番号、ＴＡ（タイミングアドバンス）、ＵＬ＿ｇｒａｎｔ（アップリンクグラント）、  Ｃ−ＲＮＴＩ（Ｃｏｎｎｅｃｔｉｏｎ  Ｒａｄｉｏ  Ｎｅｔｗｏｒｋ  Ｔｅｍｐｏｒａｒｙ  Ｉｄｅｎｔｉｆｉｅｒ、無線ネットワーク接続の一時識別子）を含む。基地局３１は、例えば図９に示す発呼要求応答６１を、移動局の送信パターンごとに異なるタイミングで移動局に通知する。例えば、基地局３１は、移動局の各送信パターンに対応する発呼要求応答の通知タイミングを、セル内の各移動局に対して報知信号により通知する。基地局３１は、未検出であった送信パターンに対応するタイミングのときには、発呼要求応答を通知しない。
【００３２】
例えば、図７に示す例の場合、基地局３１は、図１０に示すように、パターン０、パターン５およびパターン６に対応するタイミングのときに、それぞれパターン０、パターン５およびパターン６で発呼要求信号を送信してきた移動局に対するＴＡやＣ−ＲＮＴＩを含む発呼要求応答６６，６７，６８を通知する。図７に示す例の場合、基地局３１は、１、２、３、４、７、８、９、１０、１１、１２、１３および１４の各パターンに対応するタイミングのときには、発呼要求応答を通知しない。移動局は、自局が発呼要求信号を送信したときのパターンを知っているので、自局が発呼要求信号を送信したときのパターンに対応するタイミングで発呼要求応答信号を受信する。そして、移動局は、受信した発呼要求応答のプリアンブル番号を識別することによって、受信した発呼要求応答が自局宛であるか否かを判断する。
【００３３】
図１１は、実施例２における発呼要求応答のフレームフォーマットの他の例を示す模式図である。図１１に示すように、発呼要求応答７１は、同じプリアンブル番号の発呼要求信号を異なるパターンで送信してきた複数の移動局に対するＴＡやＣ−ＲＮＴＩを含んでいてもよい。図１１において、「ＴｘＰａｔ０」、「ＴＡ０」、「ＵＬ＿ｇｒａｎｔ０」および「Ｃ−ＲＮＴＩ０」は、パターン０で発呼要求信号を送信してきた移動局に通知する情報である。図１１に示す例では、一つの発呼要求応答７１に、パターン０で発呼要求信号を送信してきた移動局に通知する情報、パターン５で発呼要求信号を送信してきた移動局に通知する情報、およびパターン６で発呼要求信号を送信してきた移動局に通知する情報が含まれている。移動局は、受信した発呼要求応答のプリアンブル番号を識別し、受信した発呼要求応答の自局の送信パターンに対応するフィールドを参照することによって自局宛の情報を取得する。
【００３４】
実施例２によれば、例えば発呼要求信号の信号系列が６４通りあり、発呼要求信号の送信パターンが１５通りあるので、移動局を識別する情報が合計で９６０通り（＝６４系列×１５パターン）あることになる。つまり、移動局と基地局との間のリンクを確立する際のネゴシエーションにおいて、移動局を識別する情報が増えることになる。従って、実施例１と同様に、基地局で異なる移動局を別々に識別することができる。
【００３５】
（実施例３）
実施例３は、実施例２において、例えば所定の期間を分割した各区間を信号系列全体の長さとし、所定の期間の信号系列全体を複数回繰り返した長さとするものである。例えば、所定の期間は、信号系列全体を４回繰り返した長さであってもよい。各区間では、例えば発呼要求信号の０シンボル目から８３９シンボル目までが送信される。移動局の構成および動作、並びに基地局の構成および動作などは、実施例２と同様である。ただし、基地局の識別部には、次のような違いがあってもよい。なお、実施例３において、実施例２と同様の構成については、実施例２と同じ符号を付して重複する説明を省略する。
【００３６】
図１２は、実施例３にかかる基地局の識別部を示すブロック図である。図１２に示すように、識別部３４には、実施例２における第１メモリ部４１が設けられていない。従って、図１２では、実施例２における第２メモリ部４７は、単にメモリ部４７として表記されている。また、第２制御部４９は、メモリ部４７および検出部４８の各動作を制御して、発呼要求信号の所定の期間（信号系列全体の例えば４回繰り返し分）の相関値や各区間（信号系列全体）の相関値を求める。識別部３４のその他の構成は、実施例２と同様である。
【００３７】
基地局３１の動作について説明する。例えば、所定の期間は、信号系列全体を４回繰り返す長さであるとする。基地局３１が発呼要求信号の１番目の区間の信号を受信すると、第２制御部４９は、メモリ部４７に相関値を算出することを通知する。この通知によって、第２制御部４９は、第２メモリ部４７に相関値を算出する処理の開始タイミングを通知することができる。発呼要求信号の１番目の区間の信号は、算出部４２に入力される。算出部４２は、発呼要求信号の１番目の区間の信号系列全体について相関値を算出し、算出した相関結果をメモリ部４７に出力する。メモリ部４７は、発呼要求信号の１番目の区間の信号系列全体の相関結果に基づいて、発呼要求信号の１番目の区間における相関結果のピーク値と該ピークのタイミングを記憶する。
【００３８】
続いて、発呼要求信号の２番目の区間の信号が算出部４２に入力されると、１番目の区間の場合と同様に相関値が算出され、メモリ部４７に発呼要求信号の２番目の区間における相関結果のピーク値と該ピークのタイミングとが記憶される。発呼要求信号の３番目の区間および４番目の区間の各信号についても同様である。所定の期間、例えば信号系列全体を４回繰り返した分の処理が終了すると、メモリ部４７は、各区間における相関結果のピーク値と該ピークのタイミングを検出部４８に出力する。
【００３９】
検出部４８は、メモリ部４７から渡された、各区間における相関結果のピーク値と該ピークのタイミングに基づいて、所定の期間の相関値を算出する。なお、メモリ部４７において、各区間における相関結果のピーク値と該ピークのタイミングに基づいて、所定の期間の相関値を算出するようにしてもよい。検出部４８は、所定の期間の相関値と、各区間における相関結果のピーク値とに基づいて、閾値以上のピークが存在するか否かを判断する。検出部４８は、閾値以上のピークが存在する場合、同じ信号系列の発呼要求信号を送信している移動局の数、送信パターン、基準タイミングからのずれおよびピーク検出結果を図５に示す基地局３１の第１制御部３５に出力する。
【００４０】
例えば図７に示す例の場合、実施例３における相関値の検出結果は、図８と同様になる。ただし、信号系列を例えば０から８３９シンボルまでとする場合、第１のピーク５６、第２のピーク５７および第３のピーク５８の相関値は、いずれも８３９の４倍に近い値となる。また、例えば、基準タイミングから５サンプルずれたタイミングにおいて、「区間０」、「区間１」、「区間２」および「区間３」の相関値は、それぞれ約１６７８、約１６７８、約２７２および約１１２となる。従って、第１のピーク５６は、「区間０」および「区間１」において発呼要求信号を送信している移動局（図７に示す例では移動局Ｂ）に起因するピークであることがわかる。
【００４１】
同様に、例えば、基準タイミングから１０サンプルずれたタイミングにおいて、「区間０」、「区間１」、「区間２」および「区間３」の相関値は、それぞれ約１６７８、約４０８、約１６７８および約１５６となる。従って、第２のピーク５７は、「区間０」および「区間２」において発呼要求信号を送信している移動局（図７に示す例では移動局Ｃ）に起因するピークであることがわかる。例えば基準タイミングから１５サンプルずれたタイミングにおいて、「区間０」、「区間１」、「区間２」および「区間３」の各相関値が約８３９となる。従って、第３のピーク５８は、「区間０」、「区間１」、「区間２」および「区間３」において発呼要求信号を送信している移動局（図７に示す例では移動局Ａ）に起因するピークであることがわかる。実施例３によれば、実施例２と同様の効果が得られる。
【００４２】
（実施例４）
区間によって送信する信号系列が異なっていてもよい。実施例４は、実施例２または３において、信号系列として例えば異なる２以上の信号系列を選択し、所定の期間を分割した複数の区間のうち、２以上の区間で異なる信号系列を送信するものである。
【００４３】
図１３は、実施例４における着信タイミングの一例を示す模式図である。図１３において、移動局Ａは、例えば所定の期間全体において、プリアンブル番号が２である信号系列の発呼要求信号８１を送信しているとする。移動局Ｂは、例えばプリアンブル番号が１である信号系列の前半の部分とプリアンブル番号が２である信号系列の後半の部分とを含む発呼要求信号８２を送信しているとする。移動局Ｃは、例えばプリアンブル番号が２である信号系列の前半の部分とプリアンブル番号が３である信号系列の後半の部分とを含む発呼要求信号８３を送信しているとする。
【００４４】
例えば、各信号系列の前半の部分は、所定の期間の前半の区間０において送信される。例えば、各信号系列の後半の部分は、所定の期間の後半の区間１において送信される。例えば、移動局Ｂは、区間０においてプリアンブル番号が１である信号系列の前半の部分を送信し、区間１においてプリアンブル番号が２である信号系列の後半の部分を送信している。移動局Ａは、区間０においてプリアンブル番号が２である信号系列の前半の部分を送信し、区間１においてプリアンブル番号が２である信号系列の後半の部分を送信している。
【００４５】
移動局Ａからの発呼要求信号８１は、基準タイミングから１５サンプルずれて基地局に着信したとする。移動局Ｂからの発呼要求信号８２は、基準タイミングから５サンプルずれて基地局に着信したとする。移動局Ｃからの発呼要求信号８３は、基準タイミングから８サンプルずれて着信したとする。
【００４６】
図１４は、実施例４における相関値の検出結果の一例を示すグラフである。図１４は、プリアンブル番号が１である信号系列に対する相関値の検出結果を示している。図１３に示す例の場合、図１４に示すように、プリアンブル番号が１である信号系列に対して所定の期間の相関値を求めると、図１４において「全体」として示すグラフのように、基準タイミングから５サンプルずれたタイミングに相関値のピーク９１が出現する。
【００４７】
信号系列が例えば０から８３９シンボルまでである場合、「全体」の相関値と「区間０」の相関値とは、８３９の半分程度の値になっている。それに対して、「区間１」の相関値は、０に近い値になっている。従って、基地局は、基準タイミングから５サンプルずれたタイミングに出現した「区間０」のピークについて、マルチパス等で相関値のレベルが低いのではないと判断することができる。基地局は、所定の期間の半分の区間、すなわち区間０においてプリアンブル番号１の信号系列が移動局から送信されていると判断することができる。
【００４８】
図１５は、実施例４における相関値の検出結果の一例を示すグラフである。図１５は、プリアンブル番号が２である信号系列に対する相関値の検出結果を示している。図１３に示す例の場合、図１５に示すように、プリアンブル番号が２である信号系列に対して所定の期間の相関値を求めると、図１５において「全体」として示すグラフのように、基準タイミングから５サンプル、８サンプルおよび１５サンプルずれたタイミングにそれぞれ相関値の第１のピーク９２、第２のピーク９３および第３のピーク９４が出現する。
【００４９】
信号系列が例えば０から８３９シンボルまでである場合、第１のピーク９２において、「全体」の相関値と「区間１」の相関値とは、８３９の半分程度の値であり、「区間０」の相関値は、０に近い値である。従って、基地局は、基準タイミングから５サンプルずれたタイミングに出現した「区間１」のピークについて、マルチパス等で相関値のレベルが低いのではなく、区間１においてプリアンブル番号２の信号系列が移動局から送信されていると判断することができる。
【００５０】
第２のピーク９３において、「全体」の相関値と「区間０」の相関値とは、８３９の半分程度の値であり、「区間１」の相関値は、０に近い値である。従って、基地局は、基準タイミングから８サンプルずれたタイミングに出現した「区間０」のピークについて、マルチパス等で相関値のレベルが低いのではなく、区間０においてプリアンブル番号２の信号系列が移動局から送信されていると判断することができる。
【００５１】
第３のピーク９４において、「全体」の相関値が８３９程度であり、「区間０」の相関値と「区間１」の相関値とは、８３９の半分程度の値である。従って、基地局は、基準タイミングから１５サンプルずれたタイミングに出現した「区間０」および「区間１」のピークについて、マルチパス等で相関値のレベルが低いのではなく、区間０および区間１においてプリアンブル番号２の信号系列が移動局から送信されていると判断することができる。
【００５２】
図１６は、実施例４における相関値の検出結果の一例を示すグラフである。図１６は、プリアンブル番号が３である信号系列に対する相関値の検出結果を示している。図１３に示す例の場合、図１６に示すように、プリアンブル番号が３である信号系列に対して所定の期間の相関値を求めると、図１６において「全体」として示すグラフのように、基準タイミングから８サンプルずれたタイミングに相関値のピーク９５が出現する。
【００５３】
信号系列が例えば０から８３９シンボルまでである場合、「全体」の相関値と「区間１」の相関値とは、８３９の半分程度の値になっている。それに対して、「区間０」の相関値は、０に近い値になっている。従って、基地局は、基準タイミングから８サンプルずれたタイミングに出現した「区間１」のピークについて、マルチパス等で相関値のレベルが低いのではないと判断することができる。基地局は、所定の期間の半分の区間、すなわち区間１においてプリアンブル番号３の信号系列が移動局から送信されていると判断することができる。
【００５４】
図１７は、実施例４における相関値の検出結果の一例を示す図表である。上述したプリアンブル番号１、２または３の各信号系列に対する関値の検出結果を整理すると、図１７に示す図表９６のようになる。図１７に示すように、基準タイミングから５サンプルずれているピークは、区間０でプリアンブル番号が１である信号系列を送信し、区間１でプリアンブル番号が２である信号系列を送信することによって発呼要求を行っている移動局に起因するピークであることがわかる。図１３に示す例では、移動局Ｂが該当する。基準タイミングから８サンプルずれているピークは、区間０でプリアンブル番号が２である信号系列を送信し、区間１でプリアンブル番号が３である信号系列を送信することによって発呼要求を行っている移動局に起因するピークであることがわかる。図１３に示す例では、移動局Ｃが該当する。基準タイミングから１５サンプルずれているピークは、区間０および区間１でプリアンブル番号が２である信号系列を送信することによって発呼要求を行っている移動局に起因するピークであることがわかる。図１３に示す例では、移動局Ａが該当する。このように、同じプリアンブル番号の信号系列を用いて発呼要求を行っている複数の移動局が存在する場合、基地局は、複数の移動局から発呼要求が来ていることを認識することができる。
【００５５】
図１８は、実施例４にかかる基地局の識別部の一例を示すブロック図である。図１８には、実施例２と同様に、所定の期間が信号系列全体であり、信号系列全体を複数の区間に分割する場合の識別部３４の構成が示されている。実施例４では、全プリアンブル番号の信号系列の相関値に基づいて、発呼要求信号の送信パターン、タイミングアドバンスおよびパワーの検出が行われる。従って、図１８に示すように、識別部３４には、全ての第２メモリ部４７に共通に検出部４８が設けられている。識別部３４のその他の構成は、実施例２と同様である。
【００５６】
図１９は、実施例４にかかる基地局の識別部の別の例を示すブロック図である。図１９には、実施例３と同様に、所定の期間が信号系列全体を複数回繰り返した長さであり、各区間が信号系列全体の長さである場合の識別部３４の構成が示されている。図１９に示すように、識別部３４には、全ての第２メモリ部４７に共通に検出部４８が設けられている。識別部３４のその他の構成は、実施例３と同様である。
【００５７】
なお、実施例２、３または４において、所定の期間（信号系列全体）の相関値を求めずに、区間ごとの相関値の結果に基づいて移動局を識別するようにしてもよい。また、実施例４において、所定期間を３以上の区間に分割し、実施例２または３のように、信号系列を送信しない区間を設けるようにしてもよい。また、所定期間を３以上の区間に分割し、信号系列として異なる３以上の信号系列を選択し、所定の期間を分割した複数の区間のうち、３以上の区間で異なる信号系列を送信するようにしてもよい。
【符号の説明】
【００５８】
１  移動局
２  基地局
３  選択部
４  送信部
５  受信部
６  識別部
【図１】
2011007414.tif 000003
【図２】
2011007414.tif 000004
【図３】
2011007414.tif 000005
【図４】
2011007414.tif 000006
【図５】
2011007414.tif 000007
【図６】
2011007414.tif 000008
【図７】
2011007414.tif 000009
【図８】
2011007414.tif 000010
【図９】
2011007414.tif 000011
【図１０】
2011007414.tif 000012
【図１１】
2011007414.tif 000013
【図１２】
2011007414.tif 000014
【図１３】
2011007414.tif 000015
【図１４】
2011007414.tif 000016
【図１５】
2011007414.tif 000017
【図１６】
2011007414.tif 000018
【図１７】
2011007414.tif 000019
【図１８】
2011007414.tif 000020
【図１９】
2011007414.tif 000021
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
予め用意された複数の信号系列の中から１以上の任意の信号系列を選択するとともに、所定の期間に含まれる複数の区間の中から１以上の任意の区間を選択する選択部、および該選択部により選択された前記区間に対応する前記信号系列を送信する送信部、を有する移動局と、
前記移動局から送信された信号を受信する受信部、および該受信部により受信された前記信号の前記各区間における相関値に基づいて前記移動局を識別する識別部、を有する基地局と、
を備えることを特徴とする無線通信システム。
【請求項２】
前記所定の期間は、前記信号系列の長さであり、
前記区間は、前記信号系列を複数に分割した長さであり、
前記送信部は、前記信号系列の、前記選択部により選択された前記区間に対応する部分を送信し、
前記識別部は、前記所定の期間における相関値と前記各区間における相関値とに基づいて前記移動局を識別することを特徴とする請求項１に記載の無線通信システム。
【請求項３】
前記所定の期間は、前記信号系列の長さの２以上の整数倍の長さであり、
前記区間は、前記信号系列の長さであり、
前記送信部は、前記選択部により選択された前記区間で前記信号系列の全体を送信し、
前記識別部は、前記所定の期間における相関値と前記各区間における相関値とに基づいて前記移動局を識別することを特徴とする請求項１に記載の無線通信システム。
【請求項４】
前記送信部は、前記選択部により選択された前記区間の数に基づいて当該区間の送信電力を制御することを特徴とする請求項１に記載の無線通信システム。
【請求項５】
前記送信部は、前記選択部により選択された前記区間の送信電力を、前記所定の期間における送信電力の和が一定になるように制御することを特徴とする請求項４に記載の無線通信システム。
【請求項６】
前記選択部は、前記基地局から報知された信号に基づいて前記信号系列と前記区間を選択することを特徴とする請求項１に記載の無線通信システム。
【請求項７】
移動局から送信された、予め用意された複数の信号系列の中から移動局により選択された信号系列を含む信号を受信する受信部と、
該受信部により受信された前記信号の、所定の期間に含まれる複数の区間における相関値に基づいて前記移動局を識別する識別部と、
を備えることを特徴とする基地局。
【請求項８】
予め用意された複数の信号系列の中から１以上の任意の信号系列を選択するとともに、所定の期間に含まれる複数の区間の中から１以上の任意の区間を選択する選択部と、
該選択部により選択された前記区間に対応する前記信号系列を送信する送信部と、
を備えることを特徴とする移動局。
【請求項９】
移動局にて、予め用意された複数の信号系列の中から１以上の任意の信号系列を選択するとともに、所定の期間に含まれる複数の区間の中から１以上の任意の区間を選択する選択ステップと、
前記移動局にて、該選択ステップにおいて選択された前記区間で前記信号系列を送信する送信ステップと、
基地局にて、前記移動局から送信された信号を受信する受信ステップと、
前記基地局にて、該受信ステップにおいて受信された前記信号の前記各区間における相関値に基づいて前記移動局を識別する識別ステップと、
を含むことを特徴とする無線通信方法。
【手続補正２】
【補正対象書類名】明細書
【補正対象項目名】全文
【補正方法】変更
【補正の内容】
【発明の詳細な説明】
【技術分野】
【０００１】
この発明は、無線通信システム、基地局、移動局および無線通信方法に関する。
【背景技術】
【０００２】
従来、通信における最初のネゴシエーション部分で、一方の機器が必要とするプリアンブル長を相手側の機器に伝え、必要最小限のプリアンブル長での通信を実現するようにした基地局装置および無線通信システムが知られている。例えば、リンクチャネル確立要求をしてきた無線端末装置の対応可能なプリアンブル長を判別し、情報チャネルにおけるプリアンブル長が選択される。プリアンブル長が長い場合には、基地局装置から無線端末装置に対して長いプリアンブル長で通信を行なう旨が応答され、ネゴシエーションが終了する。一方、プリアンブル長が短い場合には、基地局装置から無線端末装置に対して短いプリアンブル長で通信を行なう旨が応答され、ネゴシエーションが終了する（例えば、特許文献１参照。）。
【先行技術文献】
【特許文献】
【０００３】
【特許文献１】特開２００４−２９７３３８号公報
【発明の概要】
【発明が解決しようとする課題】
【０００４】
従来の技術では、移動局と基地局との間のリンクが確立した後に、変調方式に応じて情報チャネルにおけるプリアンブル長が選択される。一方、移動局と基地局との間のリンクが確立する前、例えば移動局が基地局に最初に接続するときや、一旦移動局と基地局との間の接続が切れた後に移動局が基地局に再接続するときや、移動局が異なる基地局間でハンドオーバするときには、移動局は、予め用意された複数の識別情報の中から任意の一つを選択して基地局へ送信する。しかし、識別情報の数には限りがあるため、異なる移動局が同じ識別情報を用いて同時に基地局とネゴシエーションを行うおそれがある。異なる移動局が同じ識別情報を用いると、基地局で異なる移動局を別々に識別することができないという問題点がある。
【０００５】
開示の無線通信システム、基地局、移動局および無線通信方法は、基地局で異なる移動局を別々に識別することができるようにすることを目的とする。
【課題を解決するための手段】
【０００６】
無線通信システムは、移動局および基地局を含む。移動局は、選択部および送信部を有する。選択部は、予め用意された複数の信号系列の中から１以上の任意の信号系列を選択するとともに、所定の期間をＮ個(Ｎは２以上の整数)の区間に分割し、そのＮ個の区間から任意のＸ個(Ｘは正の整数、Ｘ≦Ｎ)を選択する。送信部は、選択部により選択された区間に対応する信号系列を送信する。基地局は、受信部および識別部を有する。受信部は、移動局から送信された信号を受信する。識別部は、受信部により受信された信号系列の各区間における相関値に基づいて移動局を識別する。
【発明の効果】
【０００７】
開示の無線通信システム、基地局、移動局および無線通信方法によれば、基地局で異なる移動局を別々に識別することができるという効果を奏する。
【図面の簡単な説明】
【０００８】
【図１】図１は、実施例１にかかる無線通信システムを示すブロック図である。
【図２】図２は、実施例１にかかる無線通信方法を示すフローチャートである。
【図３】図３は、実施例２にかかる移動局を示すブロック図である。
【図４】図４は、実施例２における送信パターンの一例を示す模式図である。
【図５】図５は、実施例２にかかる基地局を示すブロック図である。
【図６】図６は、実施例２にかかる基地局の識別部を示すブロック図である。
【図７】図７は、実施例２における着信タイミングの一例を示す模式図である。
【図８】図８は、実施例２における相関値の検出結果の一例を示すグラフである。
【図９】図９は、実施例２における発呼要求応答のフレームフォーマットの一例を示す模式図である。
【図１０】図１０は、実施例２における発呼要求応答の通知方法の一例を示すシーケンス図である。
【図１１】図１１は、実施例２における発呼要求応答のフレームフォーマットの他の例を示す模式図である。
【図１２】図１２は、実施例３にかかる基地局の識別部を示すブロック図である。
【図１３】図１３は、実施例４における着信タイミングの一例を示す模式図である。
【図１４】図１４は、実施例４における相関値の検出結果の一例を示すグラフである。
【図１５】図１５は、実施例４における相関値の検出結果の一例を示すグラフである。
【図１６】図１６は、実施例４における相関値の検出結果の一例を示すグラフである。
【図１７】図１７は、実施例４における相関値の検出結果の一例を示す図表である。
【図１８】図１８は、実施例４にかかる基地局の識別部の一例を示すブロック図である。
【図１９】図１９は、実施例４にかかる基地局の識別部の別の例を示すブロック図である。
【発明を実施するための形態】
【０００９】
以下に、この発明にかかる無線通信システム、基地局、移動局および無線通信方法の実施例を図面に基づいて詳細に説明する。なお、この実施例によりこの発明が限定されるものではない。
【００１０】
以下の各実施例にかかる無線通信システムにおいては、例えば移動局が基地局に最初に接続するときや、一旦移動局と基地局との間の接続が切れた後に移動局が基地局に再接続するときや、移動局が異なる基地局間でハンドオーバするときなどに、ネゴシエーションが行われる。ネゴシエーションの結果、移動局と基地局との間でリンクが確立する。ネゴシエーションの際に移動局が基地局へ送信する信号系列が複数用意されている。また、実施例にかかる無線通信システムにおいては、所定の期間に複数の区間が含まれている。例えば、所定の期間は、複数の区間に分割されている。移動局および基地局は、ネゴシエーションの際に移動局が基地局へ送信する複数の信号系列に関する情報、並びに所定の期間および複数の区間に関する情報を共有している。
【００１１】
（実施例１）
図１は、実施例１にかかる無線通信システムを示すブロック図である。図１に示すように、無線通信システムは、移動局１および基地局２を含む。移動局１は、選択部３および送信部４を有する。選択部３は、予め用意された複数の信号系列の中から任意の信号系列を選択する。選択部３は、所定の期間に含まれる複数の区間の中から１以上の任意の区間を選択する。送信部４は、選択部３により選択された信号系列を、選択部３により選択された区間で送信する。基地局２は、受信部５および識別部６を有する。受信部５は、移動局１から送信された信号を受信する。例えば、受信部５は、移動局１から送信された信号系列を受信する。識別部６は、受信部５により受信された信号系列の各区間における相関値に基づいて、該信号系列の送信元である移動局１を識別する。なお、移動局１は、複数存在していてもよい。基地局２は、複数存在していてもよい。
【００１２】
図２は、実施例１にかかる無線通信方法を示すフローチャートである。図２に示すように、ネゴシエーションにおける移動局の識別処理が開始されると、移動局は、予め用意された複数の信号系列の中から任意の信号系列を選択する。また、移動局は、所定の期間に含まれる複数の区間の中から１以上の任意の区間を選択する（ステップＳ１）。次いで、移動局は、ステップＳ１で選択した区間で、ステップＳ１で選択した信号系列をステップＳ１で選択した区間に対応した信号系列で送信する（ステップＳ２）。次いで、基地局は、移動局から送信された信号を受信する（ステップＳ３）。基地局が受信した信号には、移動局が選択した信号系列が含まれている。次いで、基地局は、ステップＳ３で受信した信号の信号系列全体と各区間における相関値に基づいて、信号系列の送信元である移動局を識別する（ステップＳ４）。このようにして、ネゴシエーションにおける移動局の識別処理が終了する。これ以降、基地局は、移動局へ応答を返し、基地局と移動局との間で予め決められた手順でリンクが確立する。
【００１３】
実施例１によれば、移動局と基地局との間のリンクを確立する際のネゴシエーションにおいて、基地局は、移動局から送信されてくる信号系列と、その信号系列が所定の期間のうちのいずれの区間で送信されてきたかというパターンによって移動局を識別することができる。従って、異なる移動局が同じ信号系列を選択して同時に基地局へ送信しても、移動局によって信号系列を送信するパターンが異なっていれば、基地局は別々の移動局からリンク確立の要求があったことを認識することができる。それに対して、信号系列を送信するパターンが一つしかない場合、すなわち基地局が信号系列のみで移動局を識別する構成では、次のような不具合が生じる。異なる移動局が同じ信号系列を選択して同時に基地局へ送信すると、各移動局と基地局との距離や電波環境によって、基地局での受信タイミングにずれ（遅れ）が生じる。基地局は、異なるタイミングで受信しても、受信した信号系列が同じであるため、同一の移動局からのマルチパスの受信であると判断してしまう。そして、基地局は、同一と判断した移動局に対して応答を返す。同じ信号系列を選択した複数の移動局は、基地局からの応答を受信すると、基地局へ移動局の固有情報を送信するが、基地局では、異なる移動局からの固有情報であるため、それらが干渉となり復調できないため、正常にリンクを確立することができなくなってしまう。実施例１によれば、このような不具合が生じるのを抑制することができるので、基地局で異なる移動局を別々に識別することができる。
【００１４】
（実施例２）
実施例１の無線通信システムは、例えばＬｏｎｇ  Ｔｅｒｍ  Ｅｖｏｌｕｔｉｏｎ（ＬＴＥ、ロングタームエボリューション）のシステム、またはＬＴＥを発展させたＬＴＥ−Ａｄｖａｎｃｅｄ（ＬＴＥアドバンスト）のシステムなど、予め用意された複数の信号系列の中から任意の信号系列を選択して移動局と基地局との間のリンクを確立するシステムに適用することができる。一例として、実施例２ではＬＴＥの場合について説明する。
【００１５】
図３は、実施例２にかかる移動局を示すブロック図である。図３に示すように、移動局１１は、ＲＦ部１２、復調部１３、第１検出部１４、選択部１５、第２検出部１６、制御部１７、生成部１８、変調部１９およびアンテナ２０を備えている。第２検出部１６は、基地局から送信される報知信号の受信レベルを検出する。選択部１５は、第２検出部１６の検出結果に基づいて、発呼要求信号の信号系列番号を示すプリアンブル番号や発呼要求信号を送信する区間などの無線リソースを選択する。移動局１１と基地局との間で、予めプリアンブル番号ごとに信号系列が定められている。制御部１７は、選択部１５により選択された無線リソースに基づいて、生成部１８での信号の生成を制御する。また、制御部１７は、基地局からの発呼要求応答信号からＴｉｍｉｎｇ  Ａｄｖａｎｃｅ（ＴＡ、タイミングアドバンス）情報などの制御情報を検出する。タイミングアドバンス情報は、基地局の基準タイミングからのずれ量の情報である。第１検出部１４は、発呼要求応答信号からタイミングアドバンス情報を算出する。生成部１８は、制御部１７の出力信号に基づいて、発呼要求信号やコネクション要求信号を生成する。変調部１９は、生成部１８で生成された発呼要求信号やコネクション要求信号などの送信信号を変調する。また、変調部１９は、ユーザーデータやパイロット信号を変調する。ＲＦ部１２は、変調部１９から出力されたベースバンド信号を無線信号に変換する。ＲＦ部１２から出力された無線信号は、アンテナ２０から送信される。また、ＲＦ部１２は、アンテナ２０で受信した無線信号をベースバンド信号に変換する。復調部１３は、ＲＦ部１２から出力されたベースバンド信号を復調し、各種制御情報やユーザーデータを出力する。制御部１７、生成部１８、変調部１９、ＲＦ部１２およびアンテナ２０は、実施例１の送信部として動作する。
【００１６】
図４は、実施例２における送信パターンの一例を示す模式図である。図４に示す送信パターンの一覧２１では、所定の期間が４区間に分割されており、信号系列を送信する区間が網掛けで示されている。図４に示すように、例えば０から１４までの１５のパターンがある。例えば、各パターンは次の通りである。（１）パターン０では、区間０、区間１、区間２および区間３の全ての区間で信号系列を送信する。（２）パターン１、パターン２、パターン３およびパターン４では、区間０、区間１、区間２および区間３のうちの３区間で信号系列を送信する。信号系列を送信する３区間の組み合わせは、互いに異なる。（３）パターン５、パターン６、パターン７、パターン８、パターン９およびパターン１０では、区間０、区間１、区間２および区間３のうちの２区間で信号系列を送信する。信号系列を送信する２区間の組み合わせは、互いに異なる。（４）パターン１１、パターン１２、パターン１３およびパターン１４では、区間０、区間１、区間２および区間３のうちの互いに異なる１区間で信号系列を送信する。
【００１７】
上記（１）〜（４）の各パターンにおいて、所定の期間における送信電力の総和は、同じであってもよい。例えば、上記（１）のパターンにおける各区間の送信電力がＡである場合、（２）の各パターン、（３）の各パターンおよび（４）の各パターンにおける各区間の送信電力は、それぞれ４Ａ／３、２Ａおよび４Ａであってもよい。例えば、各区間で送信される信号の振幅を調整することによって、各区間の送信電力を調整することができる。このように送信電力を制御することによって、いずれのパターンでも、所定の期間における送信電力の総和は、４Ａとなる。各パターンにおける所定の期間における送信電力の総和が一定であると、後述するように、基地局において相関値を求めて移動局を識別する際に、容易に移動局を識別することができるという利点がある。なお、所定の期間の分割数は、２でもよいし、３でもよいし、５以上であってもよい。所定の期間をｎ分割する場合、パターンの数の上限値は、次式で表される。
パターン数＝nＣn＋nＣn-1＋・・・＋nＣ1
【００１８】
ここで、所定の期間は、信号系列全体の長さであってもよい。例えば、信号系列のシンボル数が８４０シンボルである場合、所定の期間は、０から８３９までの８４０シンボル分の長さであってもよい。区間０、区間１、区間２および区間３は、それぞれ例えば０から２０９までの２１０シンボル分の長さ、２１０から４１９までの２１０シンボル分の長さ、４２０から６２９までの２１０シンボル分の長さ、および６３０から８３９までの２１０シンボル分の長さであってもよい。区間０、区間１、区間２および区間３が信号系列の送信区間として選択されているときには、それぞれ選択された信号系列の例えば０シンボル目から２０９シンボル目まで、２１０シンボル目から４１９シンボル目まで、４２０シンボル目から６２９シンボル目まで、および６３０シンボル目から８３９シンボル目までが送信されてもよい。
【００１９】
移動局１１の動作について説明する。移動局１１は、基地局から送信された報知信号の受信レベルに基づいて、発呼要求信号の信号系列および発呼要求信号の送信パターンを選択する。報知信号の受信レベルを、所定の期間の分割数と同じ数の段階、例えば４段階に分ける場合、受信レベルが最も低い段階のときに、移動局１１は、前記（１）のパターン（パターン０）を選択してもよい。移動局１１は、受信レベルが一段高くなると、前記（２）の各パターンを選択し、さらに受信レベルが一段高くなると、前記（３）の各パターンを選択し、受信レベルが最も高い段階になると、前記（４）の各パターンを選択するようにしてもよい。このようにすると、受信レベルが高い状況において、移動局が発呼要求信号を長時間送信し続けることが原因で干渉が生じるのを抑制することができる。次いで、移動局１１は、選択した発呼要求信号の信号系列を、選択した送信パターンで送信する。発呼要求信号は、例えばＲａｎｄｏｍ  Ａｃｃｅｓｓ  Ｃｈａｎｎｅｌ（ＲＡＣＨ、ランダムアクセスチャネル）で送信される。
【００２０】
なお、移動局１１は、報知信号の受信レベルの代わりに、移動局と基地局との間の距離の情報に基づいて、発呼要求信号の信号系列および発呼要求信号の送信パターンを選択してもよい。移動局と基地局との間の距離の情報は、例えば移動局の位置情報と基地局の位置情報とから得られる。一般に、基地局の位置情報は、既知である。移動局は、例えば自局が備えるＧｌｏｂａｌ  Ｐｏｓｉｔｉｏｎｉｎｇ  Ｓｙｓｔｅｍ（ＧＰＳ、全地球測位システム）の機能により自局の位置情報を取得することができる。あるいは、移動局は、複数の基地局から送信された信号の受信レベルに基づいて、自局の位置情報を取得することができる。
【００２１】
図５は、実施例２にかかる基地局を示すブロック図である。図５に示すように、基地局３１は、ＲＦ部３２、復調部３３、識別部３４、第１制御部３５、生成部３６、変調部３７およびアンテナ３８を備えている。ＲＦ部３２は、アンテナ３８で受信した無線信号をベースバンド信号に変換する。また、ＲＦ部３２は、変調部３７から出力されたベースバンド信号を無線信号に変換する。ＲＦ部３２から出力された無線信号は、アンテナ３８から送信される。復調部３３は、ＲＦ部３２から出力されたベースバンド信号を復調し、各種制御情報やユーザーデータを出力する。識別部３４は、復調部３３から出力された制御情報に基づいて、発呼要求信号の信号系列全体の相関値と区間ごとの相関値とを算出し、パワー検出を行うことによって、発呼要求信号のプリアンブル番号と送信パターンを特定する。また、識別部３４は、発呼要求信号の受信タイミングと基準タイミングとに基づいて、タイミングアドバンスを求める。識別部３４は、例えば受信した発呼要求信号の振幅を検出することにより、パワー検出を行う。識別部３４の詳細な構成については、後述する。基地局３１は、発呼要求信号のプリアンブル番号と送信パターンとに基づいて、移動局を識別することができる。第１制御部３５は、発呼要求信号のプリアンブル番号、送信パターンおよびタイミングアドバンスの各情報に基づいて、発呼要求応答信号やコネクション要求応答信号などの、リンクの確立に必要な信号の生成を制御する。生成部３６は、第１制御部３５の出力信号に基づいて、発呼要求応答信号やコネクション要求応答信号を生成する。変調部３７は、生成部３６で生成された発呼要求応答信号やコネクション要求応答信号などの送信信号を変調する。また、変調部３７は、ユーザーデータやパイロット信号や報知信号を変調する。アンテナ３８、ＲＦ部３２および復調部３３は、実施例１の受信部として動作する。
【００２２】
図６は、実施例２にかかる基地局の識別部を示すブロック図である。図６に示すように、識別部３４は、第１メモリ部４１、算出部４２、第２メモリ部４７、検出部４８および第２制御部４９を備えている。算出部４２、第２メモリ部４７および検出部４８は、発呼要求信号のプリアンブル番号ごとに設けられている。例えばＬＴＥシステムでは、プリアンブル番号は、０から６３まで設けられている。すなわち、発呼要求信号の信号系列は、例えば６４種類ある。第１メモリ部４１は、受信した発呼要求信号を記憶する。各算出部４２は、受信した発呼要求信号の信号系列と予めプリアンブル番号ｘｘ（例えば、ｘｘ＝０、１、２、・・・、６３）として設定されている信号系列（レプリカ）との相関値を算出する。第２メモリ部４７は、算出部４２で算出された相関結果を記憶する。検出部４８は、相関結果に基づいて発呼要求信号の送信パターン、タイミングアドバンスおよびパワーの検出を行う。検出部４８の検出結果は、図５に示す基地局３１の第１制御部３５に渡される。第２制御部４９は、第１メモリ部４１、乗算部４４、加算部４６、第２メモリ部４７および検出部４８の各動作を制御して、発呼要求信号の所定の期間（信号系列全体）の相関値や各区間の相関値を求める。
【００２３】
算出部４２は、ＤＦＴ（Ｄｉｓｃｒｅｔｅ  Ｆｏｕｒｉｅｒ  Ｔｒａｎｓｆｏｒｍ、離散フーリエ変換）部４３、乗算部４４、ＩＦＦＴ（Ｉｎｖｅｒｓｅ  Ｆａｓｔ  Ｆｏｕｒｉｅｒ  Ｔｒａｎｓｆｏｒｍ、逆高速フーリエ変換）部４５および加算部４６を備えている。ＤＦＴ部４３は、受信した信号を周波数軸上に変換する。乗算部４４は、プリアンブル番号ｘｘのレプリカを生成し、該レプリカと受信した信号との乗算を行う。ＩＦＦＴ部４５は、周波数軸上の信号を時間軸上の信号に変換する。加算部４６は、ＩＦＦＴ部４５の出力信号の電力を加算し、相関値を算出する。このように、周波数軸上で相関値を算出する構成では、第１メモリ部４１に発呼要求信号を記憶することによって、発呼要求信号の信号系列全体の相関値と区間ごとの相関値とを求めることができる。時間軸上で相関値を算出する構成としてもよい。時間軸上で相関値を算出する構成では、第１メモリ部４１はなくてもよい。
【００２４】
図７は、実施例２における着信タイミングの一例を示す模式図である。図７において、例えば移動局Ａ、移動局Ｂおよび移動局Ｃは、同じ信号系列の発呼要求信号を送信しているとする。例えば、移動局Ａの送信電力（振幅）および送信パターンは、それぞれＡおよび前記パターン０であるとする。移動局Ｂについては、送信電力（振幅）が２Ａであり、送信パターンが前記パターン５であるとする。移動局Ｃについては、送信電力（振幅）が２Ａであり、送信パターンが前記パターン６であるとする。図７に示すように、基地局３１において、移動局Ａからの発呼要求信号５１が基準タイミングから１５サンプルずれて着信し、移動局Ｂからの発呼要求信号５２が基準タイミングから５サンプルずれて着信し、移動局Ｃからの発呼要求信号５３が基準タイミングから１０サンプルずれて着信したとする。
【００２５】
図８は、実施例２における相関値の検出結果の一例を示すグラフである。図７に示す例の場合、図８に示すように、所定の期間（信号系列全体）の相関値を求めると、図８において「全体」として示すグラフのように、基準タイミングから５サンプル、１０サンプルおよび１５サンプルずれたタイミングに相関値のピークが出現する。ここでは、信号系列を例えば０から８３９シンボルまでとしているので、基準タイミングからのずれが５サンプル目の第１のピーク５６、基準タイミングからのずれが１０サンプル目の第２のピーク５７、および基準タイミングからのずれが１５サンプル目の第３のピーク５８の相関値は、いずれも８３９に近い値となっている。このように、基地局３１は、識別部３４において所定の期間（信号系列全体）の相関値を求めることによって、８３９に近い相関値を有するピークがいくつ存在し、各ピークが基準タイミングからどのくらいずれているか、ということを知ることができる。
【００２６】
また、識別部３４において「区間０」、「区間１」、「区間２」および「区間３」というように各区間の相関値を求めることによって、次のような相関値の結果が得られる。例えば基準タイミングから５サンプルずれたタイミングにおいて、「区間０」の相関値が約４１９であり、「区間１」の相関値が約４１９であり、両相関値を足すと第１のピーク５６の相関値とほぼ同じになる。一方、「区間２」および「区間３」の相関値は、いずれもほぼ０である。従って、第１のピーク５６は、「区間０」および「区間１」において発呼要求信号を送信している移動局（図７に示す例では移動局Ｂ）に起因するピークであることがわかる。同様に、第２のピーク５７は、「区間０」および「区間２」において発呼要求信号を送信している移動局（図７に示す例では移動局Ｃ）に起因するピークであることがわかる。また、例えば基準タイミングから１５サンプルずれたタイミングにおいて、「区間０」、「区間１」、「区間２」および「区間３」の各相関値が約２０９であり、それらの合計が第３のピーク５８の相関値とほぼ同じになる。従って、第３のピーク５８は、「区間０」、「区間１」、「区間２」および「区間３」において発呼要求信号を送信している移動局（図７に示す例では移動局Ａ）に起因するピークであることがわかる。
【００２７】
このように、基地局３１は、所定の期間の相関値と各区間の相関値とに基づいて、同じ信号系列の発呼要求信号を送信している移動局の数（この例では３）を知ることができる。つまり、基地局３１は、同じ信号系列の発呼要求信号を送信している移動局を識別することができる。識別部３４の第２制御部４９は、所定の期間（信号系列全体）の相関値を求めてから、各区間の相関値を求めるように、第１メモリ部４１、乗算部４４、加算部４６、第２メモリ部４７および検出部４８の各動作を制御してもよい。第２制御部４９は、所定の期間（信号系列全体）の相関値にピークが存在しない場合、各区間の相関値を求める処理を省略してもよい。
【００２８】
基地局３１の動作について説明する。基地局３１が発呼要求信号を受信すると、第２制御部４９は、第１メモリ部４１、算出部４２および第２メモリ部４７に所定の期間（信号系列全体）の相関値を算出することを通知する。第１メモリ部４１は、受信信号を記憶するとともに、発呼要求信号の全体を算出部４２に出力する。第１メモリ部４１に記憶された受信データは、区間ごとの相関値を算出する際に使用される。算出部４２は、発呼要求信号の信号系列全体について相関値を算出し、算出した相関結果を第２メモリ部４７に出力する。第２メモリ部４７は、発呼要求信号の信号系列全体の相関結果を記憶するとともに、検出部４８に出力する。検出部４８は、信号系列全体の相関結果に基づいて、閾値以上のピークが存在するか否かを判断する。検出部４８は、閾値以上のピークが存在しない場合、第２制御部４９にピークが存在しないことを通知する。第２制御部４９は、ピークが存在しないという通知を受け取ると、ピークの存在しない発呼要求信号の信号系列について区間ごとの相関値を算出しないように制御する。検出部４８は、閾値以上のピークが存在する場合、第２制御部４９にピークが存在することを通知する。第２制御部４９は、ピークが存在するという通知を受け取ると、ピークの存在する発呼要求信号の信号系列について区間ごとの相関値を算出するように、第１メモリ部４１、算出部４２および第２メモリ部４７を制御する。相関値を算出する区間の順序は、任意である。
【００２９】
区間ごとの相関値を算出する際には、第１メモリ部４１は、第２制御部４９より通知された区間の発呼要求信号を算出部４２に出力する。算出部４２は、第２制御部４９より通知された区間の発呼要求信号について相関値を算出し、算出した相関結果を第２メモリ部４７に出力する。第２制御部４９は、全ての区間について同様の処理が終了すると、全ての相関値の算出処理が完了したことを検出部４８に通知する。検出部４８は、所定の期間（信号系列全体）の相関値および区間ごとの相関値の結果に基づいて、同じ信号系列の発呼要求信号を送信している移動局の数、送信パターン、基準タイミングからのずれおよびピーク検出結果を図５に示す基地局３１の第１制御部３５に出力する。なお、受信した発呼要求信号を第１メモリ部４１に一旦保存してから、所定の期間（信号系列全体）の相関値と区間ごとの相関値を算出する処理を開始するようにしてもよい。
【００３０】
基地局３１は、発呼要求信号の信号系列および送信パターンに基づいて移動局を識別すると、移動局の送信信号が基準タイミングで基地局に着信するように移動局の送信タイミングを制御する信号（ＴＡ）を含む発呼要求応答と、上り通信許可信号を各移動局へ送信する。各移動局への発呼要求応答の通知方法の一例について説明する。
【００３１】
図９は、実施例２における発呼要求応答のフレームフォーマットの一例を示す模式図である。図１０は、実施例２における発呼要求応答の通知方法の一例を示すシーケンス図である。図９に示すように、発呼要求応答６１は、例えば発呼要求信号のプリアンブル番号、ＴＡ（タイミングアドバンス）、ＵＬ＿ｇｒａｎｔ（アップリンクグラント）、  Ｃ−ＲＮＴＩ（Ｃｏｎｎｅｃｔｉｏｎ  Ｒａｄｉｏ  Ｎｅｔｗｏｒｋ  Ｔｅｍｐｏｒａｒｙ  Ｉｄｅｎｔｉｆｉｅｒ、無線ネットワーク接続の一時識別子）を含む。基地局３１は、例えば図９に示す発呼要求応答６１を、移動局の送信パターンごとに異なるタイミングで移動局に通知する。例えば、基地局３１は、移動局の各送信パターンに対応する発呼要求応答の通知タイミングを、セル内の各移動局に対して報知信号により通知する。基地局３１は、未検出であった送信パターンに対応するタイミングのときには、発呼要求応答を通知しない。
【００３２】
例えば、図７に示す例の場合、基地局３１は、図１０に示すように、パターン０、パターン５およびパターン６に対応するタイミングのときに、それぞれパターン０、パターン５およびパターン６で発呼要求信号を送信してきた移動局に対するＴＡやＣ−ＲＮＴＩを含む発呼要求応答６６，６７，６８を通知する。図７に示す例の場合、基地局３１は、１、２、３、４、７、８、９、１０、１１、１２、１３および１４の各パターンに対応するタイミングのときには、発呼要求応答を通知しない。移動局は、自局が発呼要求信号を送信したときのパターンを知っているので、自局が発呼要求信号を送信したときのパターンに対応するタイミングで発呼要求応答信号を受信する。そして、移動局は、受信した発呼要求応答のプリアンブル番号を識別することによって、受信した発呼要求応答が自局宛であるか否かを判断する。
【００３３】
図１１は、実施例２における発呼要求応答のフレームフォーマットの他の例を示す模式図である。図１１に示すように、発呼要求応答７１は、同じプリアンブル番号の発呼要求信号を異なるパターンで送信してきた複数の移動局に対するＴＡやＣ−ＲＮＴＩを含んでいてもよい。図１１において、「ＴｘＰａｔ０」、「ＴＡ０」、「ＵＬ＿ｇｒａｎｔ０」および「Ｃ−ＲＮＴＩ０」は、パターン０で発呼要求信号を送信してきた移動局に通知する情報である。図１１に示す例では、一つの発呼要求応答７１に、パターン０で発呼要求信号を送信してきた移動局に通知する情報、パターン５で発呼要求信号を送信してきた移動局に通知する情報、およびパターン６で発呼要求信号を送信してきた移動局に通知する情報が含まれている。移動局は、受信した発呼要求応答のプリアンブル番号を識別し、受信した発呼要求応答の自局の送信パターンに対応するフィールドを参照することによって自局宛の情報を取得する。
【００３４】
実施例２によれば、例えば発呼要求信号の信号系列が６４通りあり、発呼要求信号の送信パターンが１５通りあるので、移動局を識別する情報が合計で９６０通り（＝６４系列×１５パターン）あることになる。つまり、移動局と基地局との間のリンクを確立する際のネゴシエーションにおいて、移動局を識別する情報が増えることになる。従って、実施例１と同様に、基地局で異なる移動局を別々に識別することができる。
【００３５】
（実施例３）
実施例３は、実施例２において、例えば所定の期間を分割した各区間を信号系列全体の長さとし、所定の期間の信号系列全体を複数回繰り返した長さとするものである。例えば、所定の期間は、信号系列全体を４回繰り返した長さであってもよい。各区間では、例えば発呼要求信号の０シンボル目から８３９シンボル目までが送信される。移動局の構成および動作、並びに基地局の構成および動作などは、実施例２と同様である。ただし、基地局の識別部には、次のような違いがあってもよい。なお、実施例３において、実施例２と同様の構成については、実施例２と同じ符号を付して重複する説明を省略する。
【００３６】
図１２は、実施例３にかかる基地局の識別部を示すブロック図である。図１２に示すように、識別部３４には、実施例２における第１メモリ部４１が設けられていない。従って、図１２では、実施例２における第２メモリ部４７は、単にメモリ部４７として表記されている。また、第２制御部４９は、メモリ部４７および検出部４８の各動作を制御して、発呼要求信号の所定の期間（信号系列全体の例えば４回繰り返し分）の相関値や各区間（信号系列全体）の相関値を求める。識別部３４のその他の構成は、実施例２と同様である。
【００３７】
基地局３１の動作について説明する。例えば、所定の期間は、信号系列全体を４回繰り返す長さであるとする。基地局３１が発呼要求信号の１番目の区間の信号を受信すると、第２制御部４９は、メモリ部４７に相関値を算出することを通知する。この通知によって、第２制御部４９は、第２メモリ部４７に相関値を算出する処理の開始タイミングを通知することができる。発呼要求信号の１番目の区間の信号は、算出部４２に入力される。算出部４２は、発呼要求信号の１番目の区間の信号系列全体について相関値を算出し、算出した相関結果をメモリ部４７に出力する。メモリ部４７は、発呼要求信号の１番目の区間の信号系列全体の相関結果に基づいて、発呼要求信号の１番目の区間における相関結果のピーク値と該ピークのタイミングを記憶する。
【００３８】
続いて、発呼要求信号の２番目の区間の信号が算出部４２に入力されると、１番目の区間の場合と同様に相関値が算出され、メモリ部４７に発呼要求信号の２番目の区間における相関結果のピーク値と該ピークのタイミングとが記憶される。発呼要求信号の３番目の区間および４番目の区間の各信号についても同様である。所定の期間、例えば信号系列全体を４回繰り返した分の処理が終了すると、メモリ部４７は、各区間における相関結果のピーク値と該ピークのタイミングを検出部４８に出力する。
【００３９】
検出部４８は、メモリ部４７から渡された、各区間における相関結果のピーク値と該ピークのタイミングに基づいて、所定の期間の相関値を算出する。なお、メモリ部４７において、各区間における相関結果のピーク値と該ピークのタイミングに基づいて、所定の期間の相関値を算出するようにしてもよい。検出部４８は、所定の期間の相関値と、各区間における相関結果のピーク値とに基づいて、閾値以上のピークが存在するか否かを判断する。検出部４８は、閾値以上のピークが存在する場合、同じ信号系列の発呼要求信号を送信している移動局の数、送信パターン、基準タイミングからのずれおよびピーク検出結果を図５に示す基地局３１の第１制御部３５に出力する。
【００４０】
例えば図７に示す例の場合、実施例３における相関値の検出結果は、図８と同様になる。ただし、信号系列を例えば０から８３９シンボルまでとする場合、第１のピーク５６、第２のピーク５７および第３のピーク５８の相関値は、いずれも８３９の４倍に近い値となる。また、例えば、基準タイミングから５サンプルずれたタイミングにおいて、「区間０」、「区間１」、「区間２」および「区間３」の相関値は、それぞれ約１６７８、約１６７８、約２７２および約１１２となる。従って、第１のピーク５６は、「区間０」および「区間１」において発呼要求信号を送信している移動局（図７に示す例では移動局Ｂ）に起因するピークであることがわかる。
【００４１】
同様に、例えば、基準タイミングから１０サンプルずれたタイミングにおいて、「区間０」、「区間１」、「区間２」および「区間３」の相関値は、それぞれ約１６７８、約４０８、約１６７８および約１５６となる。従って、第２のピーク５７は、「区間０」および「区間２」において発呼要求信号を送信している移動局（図７に示す例では移動局Ｃ）に起因するピークであることがわかる。例えば基準タイミングから１５サンプルずれたタイミングにおいて、「区間０」、「区間１」、「区間２」および「区間３」の各相関値が約８３９となる。従って、第３のピーク５８は、「区間０」、「区間１」、「区間２」および「区間３」において発呼要求信号を送信している移動局（図７に示す例では移動局Ａ）に起因するピークであることがわかる。実施例３によれば、実施例２と同様の効果が得られる。
【００４２】
（実施例４）
区間によって送信する信号系列が異なっていてもよい。実施例４は、実施例２または３において、信号系列として例えば異なる２以上の信号系列を選択し、所定の期間を分割した複数の区間のうち、２以上の区間で異なる信号系列を送信するものである。
【００４３】
図１３は、実施例４における着信タイミングの一例を示す模式図である。図１３において、移動局Ａは、例えば所定の期間全体において、プリアンブル番号が２である信号系列の発呼要求信号８１を送信しているとする。移動局Ｂは、例えばプリアンブル番号が１である信号系列の前半の部分とプリアンブル番号が２である信号系列の後半の部分とを含む発呼要求信号８２を送信しているとする。移動局Ｃは、例えばプリアンブル番号が２である信号系列の前半の部分とプリアンブル番号が３である信号系列の後半の部分とを含む発呼要求信号８３を送信しているとする。
【００４４】
例えば、各信号系列の前半の部分は、所定の期間の前半の区間０において送信される。例えば、各信号系列の後半の部分は、所定の期間の後半の区間１において送信される。例えば、移動局Ｂは、区間０においてプリアンブル番号が１である信号系列の前半の部分を送信し、区間１においてプリアンブル番号が２である信号系列の後半の部分を送信している。移動局Ａは、区間０においてプリアンブル番号が２である信号系列の前半の部分を送信し、区間１においてプリアンブル番号が２である信号系列の後半の部分を送信している。
【００４５】
移動局Ａからの発呼要求信号８１は、基準タイミングから１５サンプルずれて基地局に着信したとする。移動局Ｂからの発呼要求信号８２は、基準タイミングから５サンプルずれて基地局に着信したとする。移動局Ｃからの発呼要求信号８３は、基準タイミングから８サンプルずれて着信したとする。
【００４６】
図１４は、実施例４における相関値の検出結果の一例を示すグラフである。図１４は、プリアンブル番号が１である信号系列に対する相関値の検出結果を示している。図１３に示す例の場合、図１４に示すように、プリアンブル番号が１である信号系列に対して所定の期間の相関値を求めると、図１４において「全体」として示すグラフのように、基準タイミングから５サンプルずれたタイミングに相関値のピーク９１が出現する。
【００４７】
信号系列が例えば０から８３９シンボルまでである場合、「全体」の相関値と「区間０」の相関値とは、８３９の半分程度の値になっている。それに対して、「区間１」の相関値は、０に近い値になっている。従って、基地局は、基準タイミングから５サンプルずれたタイミングに出現した「区間０」のピークについて、マルチパス等で相関値のレベルが低いのではないと判断することができる。基地局は、所定の期間の半分の区間、すなわち区間０においてプリアンブル番号１の信号系列が移動局から送信されていると判断することができる。
【００４８】
図１５は、実施例４における相関値の検出結果の一例を示すグラフである。図１５は、プリアンブル番号が２である信号系列に対する相関値の検出結果を示している。図１３に示す例の場合、図１５に示すように、プリアンブル番号が２である信号系列に対して所定の期間の相関値を求めると、図１５において「全体」として示すグラフのように、基準タイミングから５サンプル、８サンプルおよび１５サンプルずれたタイミングにそれぞれ相関値の第１のピーク９２、第２のピーク９３および第３のピーク９４が出現する。
【００４９】
信号系列が例えば０から８３９シンボルまでである場合、第１のピーク９２において、「全体」の相関値と「区間１」の相関値とは、８３９の半分程度の値であり、「区間０」の相関値は、０に近い値である。従って、基地局は、基準タイミングから５サンプルずれたタイミングに出現した「区間１」のピークについて、マルチパス等で相関値のレベルが低いのではなく、区間１においてプリアンブル番号２の信号系列が移動局から送信されていると判断することができる。
【００５０】
第２のピーク９３において、「全体」の相関値と「区間０」の相関値とは、８３９の半分程度の値であり、「区間１」の相関値は、０に近い値である。従って、基地局は、基準タイミングから８サンプルずれたタイミングに出現した「区間０」のピークについて、マルチパス等で相関値のレベルが低いのではなく、区間０においてプリアンブル番号２の信号系列が移動局から送信されていると判断することができる。
【００５１】
第３のピーク９４において、「全体」の相関値が８３９程度であり、「区間０」の相関値と「区間１」の相関値とは、８３９の半分程度の値である。従って、基地局は、基準タイミングから１５サンプルずれたタイミングに出現した「区間０」および「区間１」のピークについて、マルチパス等で相関値のレベルが低いのではなく、区間０および区間１においてプリアンブル番号２の信号系列が移動局から送信されていると判断することができる。
【００５２】
図１６は、実施例４における相関値の検出結果の一例を示すグラフである。図１６は、プリアンブル番号が３である信号系列に対する相関値の検出結果を示している。図１３に示す例の場合、図１６に示すように、プリアンブル番号が３である信号系列に対して所定の期間の相関値を求めると、図１６において「全体」として示すグラフのように、基準タイミングから８サンプルずれたタイミングに相関値のピーク９５が出現する。
【００５３】
信号系列が例えば０から８３９シンボルまでである場合、「全体」の相関値と「区間１」の相関値とは、８３９の半分程度の値になっている。それに対して、「区間０」の相関値は、０に近い値になっている。従って、基地局は、基準タイミングから８サンプルずれたタイミングに出現した「区間１」のピークについて、マルチパス等で相関値のレベルが低いのではないと判断することができる。基地局は、所定の期間の半分の区間、すなわち区間１においてプリアンブル番号３の信号系列が移動局から送信されていると判断することができる。
【００５４】
図１７は、実施例４における相関値の検出結果の一例を示す図表である。上述したプリアンブル番号１、２または３の各信号系列に対する関値の検出結果を整理すると、図１７に示す図表９６のようになる。図１７に示すように、基準タイミングから５サンプルずれているピークは、区間０でプリアンブル番号が１である信号系列を送信し、区間１でプリアンブル番号が２である信号系列を送信することによって発呼要求を行っている移動局に起因するピークであることがわかる。図１３に示す例では、移動局Ｂが該当する。基準タイミングから８サンプルずれているピークは、区間０でプリアンブル番号が２である信号系列を送信し、区間１でプリアンブル番号が３である信号系列を送信することによって発呼要求を行っている移動局に起因するピークであることがわかる。図１３に示す例では、移動局Ｃが該当する。基準タイミングから１５サンプルずれているピークは、区間０および区間１でプリアンブル番号が２である信号系列を送信することによって発呼要求を行っている移動局に起因するピークであることがわかる。図１３に示す例では、移動局Ａが該当する。このように、同じプリアンブル番号の信号系列を用いて発呼要求を行っている複数の移動局が存在する場合、基地局は、複数の移動局から発呼要求が来ていることを認識することができる。
【００５５】
図１８は、実施例４にかかる基地局の識別部の一例を示すブロック図である。図１８には、実施例２と同様に、所定の期間が信号系列全体であり、信号系列全体を複数の区間に分割する場合の識別部３４の構成が示されている。実施例４では、全プリアンブル番号の信号系列の相関値に基づいて、発呼要求信号の送信パターン、タイミングアドバンスおよびパワーの検出が行われる。従って、図１８に示すように、識別部３４には、全ての第２メモリ部４７に共通に検出部４８が設けられている。識別部３４のその他の構成は、実施例２と同様である。
【００５６】
図１９は、実施例４にかかる基地局の識別部の別の例を示すブロック図である。図１９には、実施例３と同様に、所定の期間が信号系列全体を複数回繰り返した長さであり、各区間が信号系列全体の長さである場合の識別部３４の構成が示されている。図１９に示すように、識別部３４には、全ての第２メモリ部４７に共通に検出部４８が設けられている。識別部３４のその他の構成は、実施例３と同様である。
【００５７】
なお、実施例２、３または４において、所定の期間（信号系列全体）の相関値を求めずに、区間ごとの相関値の結果に基づいて移動局を識別するようにしてもよい。また、実施例４において、所定期間を３以上の区間に分割し、実施例２または３のように、信号系列を送信しない区間を設けるようにしてもよい。また、所定期間を３以上の区間に分割し、信号系列として異なる３以上の信号系列を選択し、所定の期間を分割した複数の区間のうち、３以上の区間で異なる信号系列を送信するようにしてもよい。
【００５８】
（付記１）予め用意された複数の信号系列の中から１以上の任意の信号系列を選択するとともに、所定の期間に含まれる複数の区間の中から１以上の任意の区間を選択する選択部、および該選択部により選択された前記区間に対応する前記信号系列を送信する送信部、を有する移動局と、
前記移動局から送信された信号を受信する受信部、および該受信部により受信された前記信号の前記各区間における相関値に基づいて前記移動局を識別する識別部、を有する基地局と、
を備えることを特徴とする無線通信システム。
【００５９】
（付記２）前記所定の期間は、前記信号系列の長さであり、
前記区間は、前記信号系列を複数に分割した長さであり、
前記送信部は、前記信号系列の、前記選択部により選択された前記区間に対応する部分を送信し、
前記識別部は、前記所定の期間における相関値と前記各区間における相関値とに基づいて前記移動局を識別することを特徴とする付記１に記載の無線通信システム。
【００６０】
（付記３）前記所定の期間は、前記信号系列の長さの２以上の整数倍の長さであり、
前記区間は、前記信号系列の長さであり、
前記送信部は、前記選択部により選択された前記区間で前記信号系列の全体を送信し、
前記識別部は、前記所定の期間における相関値と前記各区間における相関値とに基づいて前記移動局を識別することを特徴とする付記１に記載の無線通信システム。
【００６１】
（付記４）前記送信部は、前記選択部により選択された前記区間の数に基づいて当該区間の送信電力を制御することを特徴とする付記１に記載の無線通信システム。
【００６２】
（付記５）前記送信部は、前記選択部により選択された前記区間の送信電力を、前記所定の期間における送信電力の和が一定になるように制御することを特徴とする付記４に記載の無線通信システム。
【００６３】
（付記６）前記選択部は、前記基地局から報知された信号に基づいて前記信号系列と前記区間を選択することを特徴とする付記１に記載の無線通信システム。
【００６４】
（付記７）前記選択部は、２以上の信号系列を選択し、
前記送信部は、前記選択部により選択された２以上の前記区間で異なる信号系列を送信することを特徴とする付記１に記載の無線通信システム。
【００６５】
（付記８）移動局から送信された、予め用意された複数の信号系列の中から移動局により選択された信号系列を含む信号を受信する受信部と、
該受信部により受信された前記信号の、所定の期間に含まれる複数の区間における相関値に基づいて前記移動局を識別する識別部と、
を備えることを特徴とする基地局。
【００６６】
（付記９）前記所定の期間は、前記信号系列の長さであり、
前記区間は、前記信号系列を複数に分割した長さであり、
前記識別部は、前記所定の期間における前記信号系列全体の相関値と、前記信号系列の、前記各区間に対応する部分の相関値とに基づいて前記移動局を識別することを特徴とする付記８に記載の基地局。
【００６７】
（付記１０）前記所定の期間は、前記信号系列の長さの２以上の整数倍の長さであり、
前記区間は、前記信号系列の長さであり、
前記識別部は、前記所定の期間における相関値と前記各区間における前記信号系列全体の相関値とに基づいて前記移動局を識別することを特徴とする付記８に記載の基地局。
【００６８】
（付記１１）予め用意された複数の信号系列の中から１以上の任意の信号系列を選択するとともに、所定の期間に含まれる複数の区間の中から１以上の任意の区間を選択する選択部と、
該選択部により選択された前記区間に対応する前記信号系列を送信する送信部と、
を備えることを特徴とする移動局。
【００６９】
（付記１２）前記所定の期間は、前記信号系列の長さであり、
前記区間は、前記信号系列を複数に分割した長さであり、
前記送信部は、前記信号系列の、前記選択部により選択された前記区間に対応する部分を送信することを特徴とする付記１１に記載の移動局。
【００７０】
（付記１３）前記所定の期間は、前記信号系列の長さの２以上の整数倍の長さであり、
前記区間は、前記信号系列の長さであり、
前記送信部は、前記選択部により選択された前記区間で前記信号系列の全体を送信することを特徴とする付記１１に記載の移動局。
【００７１】
（付記１４）前記送信部は、前記選択部により選択された前記区間の数に基づいて当該区間の送信電力を制御することを特徴とする付記１１に記載の移動局。
【００７２】
（付記１５）前記送信部は、前記選択部により選択された前記区間の送信電力を、前記所定の期間における送信電力の和が一定になるように制御することを特徴とする付記１４に記載の移動局。
【００７３】
（付記１６）前記選択部は、基地局から報知された信号に基づいて前記信号系列と前記区間を選択することを特徴とする付記１１に記載の移動局。
【００７４】
（付記１７）移動局にて、予め用意された複数の信号系列の中から１以上の任意の信号系列を選択するとともに、所定の期間に含まれる複数の区間の中から１以上の任意の区間を選択する選択ステップと、
前記移動局にて、該選択ステップにおいて選択された前記区間で前記信号系列を送信する送信ステップと、
基地局にて、前記移動局から送信された信号を受信する受信ステップと、
前記基地局にて、該受信ステップにおいて受信された前記信号の前記各区間における相関値に基づいて前記移動局を識別する識別ステップと、
を含むことを特徴とする無線通信方法。
【００７５】
（付記１８）前記所定の期間は、前記信号系列の長さであり、
前記区間は、前記信号系列を複数に分割した長さであり、
前記移動局は、前記送信ステップにおいて、前記信号系列の、前記選択ステップにおいて選択された前記区間に対応する部分を送信し、
前記基地局は、前記識別ステップにおいて、前記所定の期間における相関値と前記各区間における相関値とに基づいて前記移動局を識別することを特徴とする付記１７に記載の無線通信方法。
【００７６】
（付記１９）前記所定の期間は、前記信号系列の長さの２以上の整数倍の長さであり、
前記区間は、前記信号系列の長さであり、
前記移動局は、前記送信ステップにおいて、前記選択ステップにおいて選択された前記区間で前記信号系列の全体を送信し、
前記基地局は、前記識別ステップにおいて、前記所定の期間における相関値と前記各区間における相関値とに基づいて前記移動局を識別することを特徴とする付記１７に記載の無線通信方法。
【００７７】
（付記２０）前記移動局は、前記選択ステップにおいて、２以上の信号系列を選択し、
前記送信ステップにおいて、前記選択ステップで選択された２以上の前記区間で異なる信号系列を送信することを特徴とする付記１６に記載の無線通信方法。
【符号の説明】
【００７８】
１  移動局
２  基地局
３  選択部
４  送信部
５  受信部
６  識別部
【国際調査報告】
2011007414.tif 000022
2011007414.tif 000023